(57)【要約】【課題】ガイドレールの不要なエレベータを提供する。【解決手段】エレベータ１は、昇降壁１１で囲まれた内部を昇降可能な昇降台２と、昇降台２を昇降させるための昇降装置である３つのテレスコープシリンダ３とを備えている。テレスコープシリンダ３は、半径の異なる４つの棒状のシリンダ４，５，６，７を備えた複数段のシリンダからなり、各シリンダ４，５，６，７それぞれが入れ子状に構成されて、長手方向に摺動可能になっている。また、３つのテレスコープシリンダ３の同じ半径を有するシリンダ同士を固定してそれぞれの高さを揃えるように規制するキャップ部材１５，１６，１７が設けられている。これにより、３つのテレスコープシリンダ３は、互いに平行な状態を維持すると共に捩じれることなく同調して伸縮可能となっている。【選択図】図３
2007276918.tif 000002
【特許請求の範囲】
【請求項１】
昇降可能な昇降台と、
前記昇降台を昇降させるための少なくとも３つの昇降装置であって、この昇降装置のそれぞれは入れ子状に設けられた半径の異なる複数段のシリンダを備えると共に前記シリンダのそれぞれが長手方向に摺動することにより伸縮可能な昇降装置と、
前記３つの昇降装置の同じ段のシリンダ同士を固定してそれぞれの高さを揃えるように規制するキャップ部材と
を備えるエレベータ。
【請求項２】
前記昇降台はかごを備える請求項１に記載のエレベータ。
【請求項３】
前記昇降装置はテレスコープシリンダである請求項１または２に記載のエレベータ。
【発明の詳細な説明】
【技術分野】
【０００１】
この発明は、エレベータに関する。
【背景技術】
【０００２】
従来のエレベータが、例えば、特許文献１に記載されている。このエレベータは、人や物等が乗るかごの背面と昇降路の内壁との間にパンタグラフ式の昇降装置及び上下方向に延びるガイドレールを設け、パンタグラフ式の昇降装置が伸縮することによって、かごの背面から張り出すように形成されたフレームを上下させて、かごを上下に昇降させるものである。また、かごの背面にガイドレールに沿って移動可能なガイド手段を設けることにより、かごはガイドレールに沿って昇降するようになっている。これにより、かごは昇降路内で傾いたり回転したりせずに昇降することができる。
【０００３】
【特許文献１】特開２００３−２１２４５３号公報
【発明の開示】
【発明が解決しようとする課題】
【０００４】
しかしながら、昇降路が設けられていないフロアにかごが上昇してくるエレベータや、昇降路の内部が見えるエレベータでは、ガイドレールを設けることができないため、特許文献１のエレベータを使用するとパンタグラフ式の昇降装置が捩じれてかごが傾いたり回転したりして、かごの扉の位置が昇降路の扉の位置からずれてしまうといった問題点があった。
【０００５】
この発明はこのような問題点を解決するためになされたもので、ガイドレールの不要なエレベータを提供することを目的とする。
【課題を解決するための手段】
【０００６】
この発明に係るエレベータは、昇降可能な昇降台と、前記昇降台を昇降させるための少なくとも３つの昇降装置であって、この昇降装置のそれぞれは入れ子状に設けられた半径の異なる複数段のシリンダを備えると共に前記シリンダのそれぞれが長手方向に摺動することにより伸縮可能な昇降装置と、前記３つの昇降装置の同じ段のシリンダ同士を固定してそれぞれの高さを揃えるように規制するキャップ部材とを備える。
前記昇降台はかごを備えてもよい。
前記昇降装置はテレスコープシリンダであってもよい。
【発明の効果】
【０００７】
この発明によれば、入れ子状に設けられた半径の異なる複数段のシリンダを備えると共にシリンダのそれぞれが長手方向に摺動することにより伸縮可能な少なくとも３つの昇降装置と、３つの昇降装置の同じ段のシリンダ同士を固定してそれぞれの高さを揃えるように規制するキャップ部材とを備えることにより、３つの昇降装置は互いに捩じれることなく同調して伸縮するので、３つの昇降装置は、昇降台を傾かせたり回転させたりせずに昇降させることができる。これにより、ガイドレールを不要にすることができる。
【発明を実施するための最良の形態】
【０００８】
以下、この発明の実施の形態を添付図面に基づいて説明する。
図１に示されるように、エレベータ１は、１階フロア９と、２階フロア１２と、最上階フロア１４とを行き来可能なエレベータである。１階フロア９から最上階フロア１４までを連通する円筒形状の透明な昇降壁１１が設けられ、昇降壁１１の１階フロア９の部分及び２階フロア１２の部分にはそれぞれ、開閉扉１０及び１３が設けられている。
【０００９】
エレベータ１は、昇降壁１１で囲まれた昇降路内を昇降可能な円柱形状の昇降台２と、昇降台２を昇降させるための昇降装置である３つのテレスコープシリンダ３とを備えている。昇降台２は、その上に透明な強化ガラスによって形成されたかご２０を備えることにより、全体的に円柱形状を有すると共に内部に人や物等を乗せることのできる空間を有している。テレスコープシリンダ３は、半径の異なる４つの棒状のシリンダ４，５，６，７を備えた複数段のシリンダからなり、シリンダ４，５，６，７それぞれが入れ子状に構成されて、長手方向に摺動可能になっている。これにより、テレスコープシリンダ３は、伸縮可能となっている。ここで、シリンダ４，５，６，７それぞれが一つ一つの段を構成する。尚、各テレスコープシリンダ３には、図示しない油圧ユニットが接続されており、この油圧ユニットがシリンダ４，５，６，７内の油圧を調整することにより、テレスコープシリンダ３が等速で伸縮するようになっている。すなわち、テレスコープシリンダ３は、等速テレスコープシリンダである。
【００１０】
テレスコープシリンダ３は、シリンダ４の下端がピット８の底部８ａに設けられた載置台１９に接続されると共に鉛直上向きに延びてシリンダ７の上端が昇降台２に下方から当接するように、設けられている。３つのテレスコープシリンダ３は、上方から見たときに、正三角形を形成するように互いに平行に設けられている。同じ半径を有する３つのシリンダ４は、その上端部分４ａ（図２参照）において、金属製のキャップ部材１５により固定されている。
【００１１】
図２に示されるように、３つのシリンダ４は、上端部分４ａが他の部分に比べて半径が大きくなっている。これら上端部分４ａをキャップ部材に形成された３つの穴１５ａにそれぞれ挿入し、同心円状の穴を中央に有した円板形状の留め金具２５を、その穴にシリンダ５を挿入するようにしてキャップ部材１５の上面に配置し、複数のボルト２６によって留め金具２５と上端部分４ａとを締結すると共に複数のボルト２７によって留め金具２５とキャップ部材１５とを締結している。これにより、３つのシリンダ４がそれぞれ互いに平行な状態を維持するようにキャップ部材１５に固定されている。
【００１２】
図３に示されるように、キャップ部材１５を上方（図２における矢印Ａの方向）から見たときに、３つのシリンダ４は、正三角形を形成するように配置されている。キャップ部材１５は、この状態を維持するように３つのシリンダ４を固定しているので、３つのシリンダ４全体としての剛性が向上する。また、３つのシリンダ４はそれぞれ、先端部分４ａ（図２参照）をキャップ部材１５の穴１５ａに挿入するようにして、キャップ部材１５に固定されているので、キャップ部材１５は、３つのシリンダ４の先端の高さを揃えるように規制している。尚、各留め金具２５において、複数のボルト２６及び２７はそれぞれ、シリンダ５のまわりに等間隔で円を描くように配置されている。
【００１３】
図１に示されるように、その他のシリンダ５及び６についても同様に、それらの上端部分に金属性のキャップ部材１６及び１７がそれぞれ設けられ、互いに平行な状態を維持するように固定すると共に上方から見たときに正三角形の形状を維持するようになっている。すなわち、キャップ部材１５，１６，１７はそれぞれ、各テレスコープシリンダ３の同じ段のシリンダ同士を固定している。したがって、キャップ部材１６及び１７の形状は、それらの大きさ及びキャップ部材１５の穴１５ａに相当する穴の大きさが異なる以外は、図３に示されたキャップ部材１５と同じである。これにより、キャップ部材１６及び１７も、シリンダ５及び６それぞれにおける３つの組み合わせ全体としての剛性を向上させると共に各シリンダにおける３つの先端の高さを揃えるように規制している。尚、３つのシリンダ７については、それぞれの高さを揃えるようにして昇降台２の下方に当接しているので、キャップ部材がなくても、その他のシリンダ４，５，６と同様に、３つの組み合わせ全体としての剛性が向上されると共に３つのシリンダ７の先端の高さが揃うように規制されている。
【００１４】
昇降台２には、下方に向かって延びる円筒形状の外カバー２１が設けられ、３つのテレスコープシリンダ３が外カバー２１の内部に位置するようになっている。また、キャップ部材１７には、下方に向かって延びる円筒形状の外カバー２２が設けられ、３つのテレスコープシリンダ３が外カバー２２の内部に位置するようになっている。外カバー２２の下部には、外カバー２２に対して上下方向に摺動可能な円筒形状の外カバー２３が設けられている。外カバー２２は、外カバー２１に対して上下方向に摺動するようになっている。
【００１５】
次に、この実施の形態に係るエレベータの動作について説明する。
図１に示されるように、各テレスコープシリンダ３が最も縮んだ状態の場合、昇降台２は１階フロア９に位置している。このとき、開閉扉１０が開いて、１階フロア９上の人が、かご２０の内部の空間に乗り込むことができる。かご２０の内部の空間に人が乗り込んだ後、図示しない油圧ユニットがシリンダ４，５，６，７内の油圧を調節することにより、シリンダ５，６，７が順次鉛直上向きに摺動して、各テレスコープシリンダ３が鉛直上向きに伸びる。まず、３つのシリンダ５がそれぞれ鉛直上向きに摺動するが、通常それぞれの間にわずかな誤差が生じる。しかし、キャップ部材１６が３つのシリンダ５の先端の高さを揃えるように規制して、その誤差を解消する。これにより、３つのシリンダ５は、キャップ部材１６によって、それらの先端の高さを揃えるようにして鉛直上向きに摺動する。次に、３つのシリンダ６も同様に、キャップ部材１７により、それらの先端の高さを揃えるようにして鉛直上向きに摺動する。続いて、３つのシリンダ７は、それらの先端が昇降台２に下方から当接しているため、それらの先端の高さを揃えるようにして鉛直上向きに摺動する。その結果、３つのテレスコープシリンダ３が同調して鉛直上向きに伸びるようになる。また、キャップ部材１５，１６，１７により、３つのテレスコープシリンダ３全体としての剛性が向上し、互いに捩じれないようになる。これにより、昇降台２は、傾いたり回転したりせずに昇降路内を上昇する。さらに、シリンダ５，６，７がそれぞれ等速で摺動することにより、テレスコープシリンダ３は等速で伸びるので、昇降台２は等速で昇降路内を上昇する。
【００１６】
各テレスコープシリンダ３が最も伸びた状態になると、図３に示されるように、かご２０が最上階フロア１４から突出する。これにより、エレベータ１の設備として何も設けられていない最上階フロア１４に、突然に、透明な強化ガラス製のかご２０が出現するようになる。
また、昇降台２よりも下方では、キャップ部材１５，１６，１７それぞれの間隔が大きくなることにより、外カバー２１の下端部分と外カバー２２の上端部分とがわずかに重なると共に、外カバー２３が外カバー２２に対して下方に移動した状態になる。これにより、最上階フロア１４から１階フロア９にかけて、３つのテレスコープシリンダ３が外カバー２１，２２，２３に覆われた状態になる。この実施の形態では昇降壁１１が透明なため、１階フロア９及び２階フロア１２から昇降壁１１の内部の昇降路が見えてしまうが、外カバー２１，２２，２３によって３つのテレスコープシリンダ３が１階フロア９及び２階フロア１２から見えなくなる。また、昇降路内にガイドレールが設けられていないので、昇降台２が１階フロア９に位置する場合（図１）でも、１階フロア９及び２階フロア１２からは昇降路内に何の設備もないように見えるので、１階フロア９及び２階フロア１２における景観を損ねることがない。
【００１７】
このように、入れ子状に設けられた半径の異なる４つのシリンダ４，５，６，７を備えた複数段のシリンダからなると共にシリンダ４，５，６，７のそれぞれが長手方向に摺動することにより伸縮可能な少なくとも３つのテレスコープシリンダ３と、３つのテレスコープシリンダ３の同じ半径を有するシリンダ同士、すなわち同じ段のシリンダ同士を固定してそれぞれのシリンダの先端の高さを揃えるように規制するキャップ部材１５，１６，１７とを備えることにより、３つのテレスコープシリンダ３が互いに平行な状態を維持すると共に捩じれることなく同調して伸縮するので、３つのテレスコープシリンダ３は、昇降台２を傾かせたり回転させたりせずに昇降させることができる。これにより、エレベータ１の設備として、ガイドレールを不要にすることができる。特に、各階から昇降路の内部が見えるようなエレベータの場合には、各階における景観が損なわれるのを防ぐことができる。
【００１８】
この実施の形態では、テレスコープシリンダ３を３つ使用したが、３つに限定するものではない。３つ以上であればいくつであってもよい。また、テレスコープシリンダが３つの場合に、各テレスコープシリンダを上から見たときに、正三角形を形成するように配置することに限定するものではなく、どのように配置してもよい。また、テレスコープシリンダ３は、４つのシリンダ４，５，６，７を備えたものであるが、４つに限定するものではない。昇降台２を上昇させる距離に応じ、適当な数のシリンダからなるテレスコープシリンダを使用することができる。また、各テレスコープシリンダが同じものであることに限定するものではない。各テレスコープシリンダの半径が異なるものであっても、段の数及び格段におけるシリンダの長さが同じものであれば、異なる種類のテレスコープシリンダを複数用いてもよい。さらに、シリンダ４，５，６，７内の油圧を調整することによりテレスコープシリンダ３を伸縮するようにしていたが、油圧に限定するものではない。空気圧、水圧、ねじ等を利用してテレスコープシリンダ３を伸縮するようにしてもよい。
【００１９】
この実施の形態では、かご２０は透明な強化ガラスで形成された円柱形状を有していたが、透明でなくてもよく、さらにどのような形状のかごであってもよい。また、昇降台２はかご２０を備えていたが、かご２０を備えずに昇降台２だけであってもよい。このような変形例を図４に示す。尚、図４において図１及び３の参照符号と同一の符号は、同一又は同様な構成要素であるので、その詳細な説明は省略する。図４は、図３に対してかご２０と最上階フロア１４がない場合のエレベータ３０を示している。エレベータ１と同様に、ガイドレールがなくても、エレベータ３０の設備として何も設けられていない２階フロア１２に、突然に昇降台２を出現させ、２階フロア１２の上方に昇降台２を位置させることができる。これにより、例えば、昇降台２に乗った女性３１を２階フロア１２の上方に突然出現させる演出を行うことができる。
【図面の簡単な説明】
【００２０】
【図１】この発明の実施の形態に係るエレベータの全体図である。
【図２】この実施の形態に係るエレベータに使用されるキャップ部材の側面図である。
【図３】この実施の形態に係るエレベータに使用されるキャップ部材を、図２の矢印Ａの方向から見たときの平面図である。
【図４】この実施の形態に係るエレベータの別の状態の全体図である。
【図５】この実施の形態に係るエレベータの変形例の全体図である。
【符号の説明】
【００２１】
１，３０  エレベータ、２  昇降台、３  テレスコープシリンダ（昇降装置）、４，５，６，７  シリンダ、１５，１６，１７  キャップ部材、２０  かご。
【図１】
2007276918.tif 000003
【図２】
2007276918.tif 000004
【図３】
2007276918.tif 000005
【図４】
2007276918.tif 000006
【図５】
2007276918.tif 000007